【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて識別情報を変動表示可能な普通図柄表示装置を備え、
前記可変表示装置が識別情報の変動表示状態からリーチ状態になることを条件に、前記普通図柄表示装置に２以上の隠蔽図柄が表示され、前記普通図柄表示装置に表示されていた隠蔽図柄に代えて識別情報が次々表示され、該次々に表示される識別情報の中に前記リーチ状態に係る識別情報と同一又は同一とみなされる識別情報が含まれることで、前記可変表示装置に前記特定表示態様を表示するようにした図柄移行制御手段を有する
ことを特徴とする遊技機。
【請求項２】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて識別情報を変動表示可能な普通図柄表示装置を備え、
前記可変表示装置が識別情報の変動表示状態からリーチ状態になることを条件に、前記普通図柄表示装置に２以上の隠蔽図柄が表示され、前記普通図柄表示装置に表示されていた隠蔽図柄に代えて識別情報が次々表示され、該次々に表示される識別情報の中に特殊図柄が含まれることで、前記可変表示装置に前記特定表示態様を表示するようにした図柄移行制御手段を有する
ことを特徴とする遊技機。
【請求項３】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて識別情報を変動表示可能な普通図柄表示装置を備え、
前記普通図柄表示装置に２以上の隠蔽図柄が表示されることを条件に、前記可変表示装置が識別情報の変動表示状態からリーチ状態になり、前記普通図柄表示装置に表示されていた隠蔽図柄に代えて識別情報が次々表示され、該次々に表示される識別情報の中に前記リーチ状態に係る識別情報と同一又は同一とみなされる識別情報が含まれることで、前記可変表示装置に前記特定表示態様を表示するようにした図柄移行制御手段を有する
ことを特徴とする遊技機。
【請求項４】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて識別情報を変動表示可能な普通図柄表示装置を備え、
前記普通図柄表示装置に２以上の隠蔽図柄が表示されることを条件に、前記可変表示装置が識別情報の変動表示状態からリーチ状態になり、前記普通図柄表示装置に表示されていた隠蔽図柄に代えて識別情報が次々表示され、該次々に表示される識別情報の中に特殊図柄が含まれることで、前記可変表示装置に前記特定表示態様を表示するようにした図柄移行制御手段を有する
ことを特徴とする遊技機。
【請求項５】
前記普通図柄表示装置に表示されていた隠蔽図柄に代えて識別情報が所定の順番で次々表示されるようにした図柄移行制御手段を有する
ことを特徴とする請求項１、２、３または４に記載の遊技機。
【手続補正２】
【補正対象書類名】明細書
【補正対象項目名】０００７
【補正方法】変更
【補正の内容】
【０００７】
本発明は、以上のような従来技術が有する問題点に着目してなされたもので、可変表示装置にリーチ状態が表示されると、普通図柄表示装置に２以上の隠蔽図柄が表示され、隠蔽図柄に代わって識別情報が次々に表示され、次々に表示される識別情報の中にリーチ状態に係る識別情報と同一又は同一とみなされる識別情報が表示されると、可変表示装置に特定表示態様を表示するようにして、表示上の面白みを増し、遊技性を高めることができる遊技機を提供することを目的としている。
【手続補正３】
【補正対象書類名】明細書
【補正対象項目名】０００８
【補正方法】変更
【補正の内容】
【０００８】
【課題を解決するための手段】
かかる目的を達成するための本発明の要旨とするところは、次の各項の発明に存する。
［１］複数種類の識別情報を可変表示可能な可変表示装置（３１０）を含み、該可変表示装置（３１０）の表示結果が予め定められた特定表示態様となった場合に遊技者にとって有利な特定遊技状態になるようにした遊技機において、
普通図柄始動条件の成立に基づいて識別情報を変動表示可能な普通図柄表示装置（１４０）を備え、
前記可変表示装置（３１０）が識別情報の変動表示状態からリーチ状態になることを条件に、前記普通図柄表示装置（１４０）に２以上の隠蔽図柄が表示され、前記普通図柄表示装置（１４０）に表示されていた隠蔽図柄に代えて識別情報が次々表示され、該次々に表示される識別情報の中に前記リーチ状態に係る識別情報と同一又は同一とみなされる識別情報が含まれることで、前記可変表示装置（３１０）に前記特定表示態様を表示するようにした図柄移行制御手段を有する
ことを特徴とする遊技機。
【手続補正４】
【補正対象書類名】明細書
【補正対象項目名】００１０
【補正方法】変更
【補正の内容】
【００１０】
［３］複数種類の識別情報を可変表示可能な可変表示装置（３１０）を含み、該可変表示装置（３１０）の表示結果が予め定められた特定表示態様となった場合に遊技者にとって有利な特定遊技状態になるようにした遊技機において、
普通図柄始動条件の成立に基づいて識別情報を変動表示可能な普通図柄表示装置（１４０）を備え、
前記普通図柄表示装置（１４０）に２以上の隠蔽図柄が表示されることを条件に、前記可変表示装置（３１０）が識別情報の変動表示状態からリーチ状態になり、前記普通図柄表示装置（１４０）に表示されていた隠蔽図柄に代えて識別情報が次々表示され、該次々に表示される識別情報の中に前記リーチ状態に係る識別情報と同一又は同一とみなされる識別情報が含まれることで、前記可変表示装置（３１０）に前記特定表示態様を表示するようにした図柄移行制御手段を有することを特徴とする遊技機。
【手続補正５】
【補正対象書類名】明細書
【補正対象項目名】００１５
【補正方法】変更
【補正の内容】
【００１５】
可変表示装置（３１０）が識別情報の変動表示からリーチ状態になることを条件に、図柄移行制御手段が可変表示装置（３１０）および普通図柄表示装置（１４０）を制御して、普通図柄表示装置（１４０）に２以上の隠蔽図柄が表示され、隠蔽図柄に代わって識別情報が次々に表示される。その次々に表示される識別情報の中にリーチ状態に係る識別情報と同一又は同一とみなされる識別情報が含まれることで、可変表示装置（３１０）に特定表示態様が表示される。
【手続補正６】
【補正対象書類名】明細書
【補正対象項目名】０１１１
【補正方法】変更
【補正の内容】
【０１１１】
具体的には、図柄移行制御手段は、可変表示装置３１０と普通図柄表示装置１４０とが並行して実行されているときに、可変表示装置３１０の変動表示後の識別情報を判別する。そして、可変表示装置３１０にリーチ状態が表示されると、普通図柄表示装置１４０に３つの隠蔽図柄を表示し、各隠蔽図柄に代えて識別情報を次々に表示し、次々に表示した識別情報の中にリーチ状態に係る識別情報と同一又は同一とみなされる識別情報が含まれていると、可変表示装置３１０に特定表示態様を表示するように、表示器制御基板３００および普通図柄表示装置１４０に直接的あるいは間接的に命令を下すものである。
【手続補正７】
【補正対象書類名】明細書
【補正対象項目名】０１３５
【補正方法】変更
【補正の内容】
【０１３５】
本実施の形態では、図柄移行制御手段の設定条件が成立すると、主基板（遊技制御手段）１００が表示器制御基板３００および普通図柄表示装置１４０に直接的あるいは間接的に命令を下し、設定条件成立後の遊技を行うようになっている。具体的には、可変表示装置３１０が識別情報の変動表示後にリーチ状態を表示すると、可変表示装置３１０および普通図柄表示装置１４０が制御され、普通図柄表示装置１４０に３つの隠蔽図柄が表示され、３つの隠蔽図柄に代えて識別情報が次々に表示され、次々に表示される識別情報の中にリーチ状態に係る識別情報と同一又は同一とみなされる識別情報が含まれていると、可変表示装置３１０の表示結果が特定表示態様になるようになっている。
【手続補正８】
【補正対象書類名】明細書
【補正対象項目名】０１４０
【補正方法】変更
【補正の内容】
【０１４０】
可変表示装置３１０にリーチ状態が表示され（ステップＳ１３０３：Ｙ）、普通図柄表示装置１４０に２以上の隠蔽図柄が表示されると（ステップＳ１３０５：Ｙ）、２以上の隠蔽図柄に代えて識別情報が次々に表示され、次々に表示された識別情報の中にリーチ状態に係る識別情報と同一又は同一とみなされる識別情報が含まれているかを判断する（ステップＳ１３０６）。
【手続補正９】
【補正対象書類名】明細書
【補正対象項目名】０１４１
【補正方法】変更
【補正の内容】
【０１４１】
次々に表示された識別情報の中にリーチ状態に係る識別情報と同一又は同一とみなされる識別情報が含まれていなければ（ステップＳ１３０６：Ｎ）、可変表示装置３１０の表示結果がはずれ表示態様に確定する（ステップＳ１３１０）。
【手続補正１０】
【補正対象書類名】明細書
【補正対象項目名】０１４２
【補正方法】変更
【補正の内容】
【０１４２】
次々に表示された識別情報の中にリーチ状態に係る識別情報と同一又は同一とみなされる識別情報が含まれていれば（ステップＳ１３０６：Ｙ）、可変表示装置３１０の表示結果が特定表示態様になり（ステップＳ１３０７）、特定遊技状態が発生する（ステップＳ１３０８）。
【手続補正１１】
【補正対象書類名】明細書
【補正対象項目名】０１４７
【補正方法】変更
【補正の内容】
【０１４７】
【発明の効果】
本発明に係る遊技機によれば、可変表示装置にリーチ状態が表示されることを条件に、図柄移行制御手段が可変表示装置および普通図柄表示装置を制御して、普通図柄表示装置に２以上の隠蔽図柄が表示され、その隠蔽図柄に代えて識別情報が次々に表示され、次々に表示された識別情報の中にリーチ状態に係る識別情報と同一又は同一とみなされる識別情報が含まれると、可変表示装置に特定表示態様を表示するようにしたので、可変表示装置の表示状態と普通図柄表示装置の表示状態とが関連し合って、リーチ状態後のリーチ遊技を行うようになり、表示上の面白みが増し、遊技性を高めることができる。
【手続補正１２】
【補正対象書類名】図面
【補正対象項目名】図１３
【補正方法】変更
【補正の内容】
【図１３】
2003190520.tif 000001